(57)【要約】【課題】電源オフ時に排気シャッター４が異物などにより閉鎖できない異常状態をユーザーが見落とすことを防止できるプロジェクターを提供する。【解決手段】プロジェクター１は、排気口３を閉塞可能な排気シャッター４と、排気シャッター４の開閉を制御する排気シャッター制御手段１５を備え、入力操作手段より投写停止操作を検出した場合、排気シャッター４が閉鎖不可能であることを検出したときに、画像投写手段１０により、警告メッセージＭ１を投写する。【選択図】図３
2013109054.tif 000002
【特許請求の範囲】
【請求項１】
光源から射出された光を画像情報に応じて変調し、投写レンズを介して被投写面に投写光を投写する画像投写手段を収納する筐体を有するプロジェクターであって、
前記筐体に設けられた排気口を開閉する排気シャッターと、
前記排気シャッターの開閉を制御する排気シャッター制御手段と、
前記筐体の内部の空気を、前記排気口を介して前記筐体の外部へ排気する排気ファンと、
前記排気ファンの回転を制御するファン制御手段と、
入力操作を受け付ける入力操作手段と、
前記排気シャッターの開放、及び閉鎖のいずれの状態であるかを検出する排気シャッター開閉検出手段と、
前記入力操作手段より投写停止操作を検出した場合、前記排気シャッター開閉検出手段により、前記排気シャッターの閉鎖が可能であることを確認したときに、投写停止処理を行い、前記排気シャッター開閉検出手段により、前記排気シャッターの閉鎖が不可能であることを確認したときに、前記画像投写手段により前記排気シャッターに異常が発生したことを示す警告メッセージを投写する制御手段と、
を備えたことを特徴とする、プロジェクター。
【請求項２】
請求項１に記載のプロジェクターであって、
前記投写停止操作は当該プロジェクターの電源オフ操作であり、
前記投写停止処理では前記光源を消灯し、当該プロジェクターの電源をオフする、
ことを特徴とする、プロジェクター。
【請求項３】
請求項１に記載のプロジェクターであって、
当該プロジェクターの異常発生を報知する報知手段をさらに備え、
前記制御手段は、前記入力操作手段より電源オン操作を検出した場合、前記排気シャッター開閉検出手段により、前記排気シャッターの閉鎖及び開放が可能であることを確認したときに、前記光源を点灯して当該プロジェクターを動作状態にし、前記排気シャッター開閉検出認手段により、前記排気シャッターの閉鎖または開放が不可能であることを確認したときに、前記報知手段により報知する、
ことを特徴とする、プロジェクター。
【請求項４】
光源から射出された光を画像情報に応じて変調し、投写レンズを介して被投写面に投写光を投写する画像投写手段と、これらを収納する筐体と、
前記筐体に設けられた排気口を開閉する排気シャッターと、
前記排気シャッターの開閉を制御する排気シャッター制御手段と、
前記筐体の内部の空気を、前記排気口を介して前記筐体の外部へ排気する排気ファンと、
前記前記排気ファンの回転を制御するファン制御手段と、
前記排気シャッターの開放、及び閉鎖のいずれの状態であるかを検出する排気シャッター開閉検出手段と、
入力操作を受け付ける入力操作手段と、
を備えたプロジェクターの制御方法であって、
前記排気シャッター制御手段、及び前記排気シャッター開閉検出手段により、前記排気シャッターの開放、及び閉鎖が可能であるかを確認する排気シャッター開閉確認ステップと、
前記入力操作手段より投写停止操作を検出した場合、前記排気シャッター開閉確認ステップにより、前記排気シャッターの閉鎖が可能であることを確認したときに、投写停止処理を行い、前記排気シャッター開閉確認ステップにより、前記排気シャッターの閉鎖が不可能であることを確認したときに、前記画像投写手段により前記排気シャッターに異常が発生したことを示す警告メッセージを投写する制御ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターには、動作中に光源や電力によって熱せられた筐体内部の空気を、筐体外部に排出するための排気口が設けられ、排気ファンによって排気されている。排気ファンはプロジェクターの動作中は回転しているが、電源オフ（スタンバイ）状態では停止しているため、排気口から異物が侵入する虞があった。
特許文献１には、排気口にシャッターを設けたプロジェクターが開示されている。このようなプロジェクターによれば、電源オフ（スタンバイ）状態ではシャッターによって排気口が閉塞されるため、異物の侵入を防止することができる。
【先行技術文献】
【特許文献】
【０００３】
【特許文献１】特開２００９−９８４８１号公報
【発明の概要】
【発明が解決しようとする課題】
【０００４】
しかし、特許文献１のプロジェクターでは、電源オフ時に光源を消灯した後、シャッターを閉じている。ユーザーはリモコンなどで電源をオフし、光源が消灯したことを確認すると、直ちにその場を離れてしまうことが多いので、異物などにより、シャッターが正常に閉じることができない場合でも気づかない虞があった。
シャッター閉鎖時に異常を検出した場合にエラー状態を報知する方法もあるが、光源消灯後にユーザーがプロジェクターから離れているとエラー報知に気づくことができないという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調し、投写レンズを介して被投写面に投写光を投写する画像投写手段を収納する筐体を有するプロジェクターであって、前記筐体に設けられた排気口を開閉する排気シャッターと、前記排気シャッターの開閉を制御する排気シャッター制御手段と、前記筐体の内部の空気を、前記排気口を介して前記筐体の外部へ排気する排気ファンと、前記排気ファンの回転を制御するファン制御手段と、入力操作を受け付ける入力操作手段と、前記排気シャッターの開放、及び閉鎖のいずれの状態であるかを検出する排気シャッター開閉検出手段と、前記入力操作手段より投写停止操作を検出した場合、前記排気シャッター開閉検出手段により、前記排気シャッターの閉鎖が可能であることを確認したときに、投写停止処理を行い、前記排気シャッター開閉検出手段により、前記排気シャッターの閉鎖が不可能であることを確認したときに、前記画像投写手段により前記排気シャッターに異常が発生したことを示す警告メッセージを投写する制御手段と、を備えたことを特徴とする。
【０００７】
本適用例によれば、プロジェクターの投写停止操作を検出した場合、投写を停止する前に排気シャッターを閉鎖し、排気シャッターを閉鎖できることが確認できたときに、投写停止処理を行う。または、排気シャッターを閉鎖できないことが確認できたときには異常を知らせるメッセージを投写する。これにより、ユーザーが投写停止操作をしても、排気シャッターが正常に閉鎖できない場合は画像投写状態が継続したままで、異常を知らせるメッセージを投写するので、排気シャッターが閉鎖できない異常状態をユーザーが見落とすことを防止することが可能となる。
【０００８】
［適用例２］上記適用例に記載のプロジェクターにおいて、前記投写停止操作は当該プロジェクターの電源オフ操作であり、前記投写停止処理では前記光源を消灯し、当該プロジェクターの電源をオフする、ことを特徴とする。
【０００９】
本適用例によれば、プロジェクターの電源オフ操作検出した場合、光源を消灯する前に排気シャッターを閉鎖し、排気シャッターが閉鎖できることが確認できたときに、光源を消灯して電源のオフ処理を行い、または排気シャッターが閉鎖できないときには異常を知らせるメッセージを投写する。これにより、ユーザーが電源オフ操作をしても、排気シャッターが正常に閉鎖できない場合は光源が点灯したまま、異常を知らせるメッセージを投写するので、排気シャッターが閉鎖できない異常状態をユーザーが見落とすことを防止することが可能となる。
【００１０】
［適用例３］上記適用例に記載のプロジェクターにおいて、当該プロジェクターの異常発生を報知する報知手段をさらに備え、前記制御手段は、前記入力操作手段より電源オン操作を検出した場合、前記排気シャッター開閉検出手段により、前記排気シャッターの閉鎖及び開放が可能であることを確認したときに、前記光源を点灯して当該プロジェクターを動作状態にし、前記排気シャッター開閉検出認手段により、前記排気シャッターの閉鎖または開放が不可能であることを確認したときに、前記報知手段により報知する、ことを特徴とする。
【００１１】
本適用例によれば、プロジェクターの電源オン操作を検出時、排気シャッターの開閉動作が確認できなかった場合に、報知手段により異常発生を報知する。これにより、プロジェクターを前回使用終了後、何らかの要因で排気シャッターが閉じずに開放されたままになっていた状態でも、電源オン操作時に排気シャッターの閉鎖及び開放ができるかどうかを確認するので、排気シャッターの閉鎖が正常にできない状態でプロジェクターが起動するのを防止し、ユーザーに異常状態の排除を促すことが可能となる。
【００１２】
［適用例４］本適用例に係るプロジェクターの制御方法は、光源から射出された光を画像情報に応じて変調し、投写レンズを介して被投写面に投写光を投写する画像投写手段と、これらを収納する筐体と、前記筐体に設けられた排気口を開閉する排気シャッターと、前記排気シャッターの開閉を制御する排気シャッター制御手段と、前記筐体の内部の空気を、前記排気口を介して前記筐体の外部へ排気する排気ファンと、前記前記排気ファンの回転を制御するファン制御手段と、前記排気シャッターの開放、及び閉鎖のいずれの状態であるかを検出する排気シャッター開閉検出手段と、入力操作を受け付ける入力操作手段と、を備えたプロジェクターの制御方法であって、前記排気シャッター制御手段、及び前記排気シャッター開閉検出手段により、前記排気シャッターの開放、及び閉鎖が可能であるかを確認する排気シャッター開閉確認ステップと、前記入力操作手段より投写停止操作を検出した場合、前記排気シャッター開閉確認ステップにより、前記排気シャッターの閉鎖が可能であることを確認したときに、投写停止処理を行い、前記排気シャッター開閉確認ステップにより、前記排気シャッターの閉鎖が不可能であることを確認したときに、前記画像投写手段により前記排気シャッターに異常が発生したことを示す警告メッセージを投写する制御ステップと、を有することを特徴とする。
【００１３】
本適用例によれば、プロジェクターの投写停止操作を検出した場合、投写を停止する前に排気シャッター制御手段により、排気シャッターの開放、及び閉鎖が可能であるかを確認する。排気シャッターを閉鎖できることが確認できたときに、投写停止処理を行い、または、排気シャッターを閉鎖できないことが確認できたときには異常を知らせるメッセージを投写する。これにより、ユーザーが投写停止操作をしても、排気シャッターが正常に閉鎖できない場合は画像投写状態が継続したままで、異常を知らせるメッセージを投写するので、排気シャッターが閉鎖できない異常状態をユーザーが見落とすことを防止することが可能となる。
【図面の簡単な説明】
【００１４】
【図１】プロジェクターの斜視図であり、（ａ）は排気シャッターが閉鎖状態、（ｂ）は排気シャッターが開放状態のときを示す。
【図２】排気シャッターの開閉状態を示す部分平面図であり、（ａ）は排気シャッターが閉鎖状態、（ｂ）は排気シャッターが開放状態のときを示す。
【図３】プロジェクターの回路構成を示すブロック図。
【図４】プロジェクターが電源オフ操作を検出したときの動作を示すフローチャート。
【図５】プロジェクターが電源オン操作を検出したときの動作を示すフローチャート。
【図６】排気シャッターの閉鎖失敗の警告メッセージＭ１を示す図。
【発明を実施するための形態】
【００１５】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１６】
（第１実施形態）
図１は本実施形態のプロジェクター１の斜視図であり、図１（ａ）は排気シャッター４が閉鎖されているとき、図１（ｂ）は排気シャッター４が開放されているときの状態を示す。
図１（ａ）、（ｂ）に示すように、プロジェクター１は、上面２ｔ、前面２ｆ、右側面２ｒなどを有する筐体２によって装置本体が覆われた構成となっている。なお、本実施形態においては、プロジェクター１に対して、投写方向である前面２ｆ方向を前方として説明する。
【００１７】
筐体２の前面２ｆには画像を投写する投写レンズ１３が備えられている。筐体２の上面２ｔには、ユーザーにより入力操作が行われる複数の操作キーを備えた入力操作手段２３が備えられている。
筐体２の右側面２ｒには筐体２内の空気を排出するための排気口３が形成されており、排気口３を開閉するルーバー状の排気シャッター４が備えられている。
【００１８】
図２は排気シャッター４の開閉状態を示す部分平面図であり、筐体２の一部分を上面２ｔから透写した状態を示す。図２に示すように、排気シャッター４は排気口３を開閉可能に備えられている。
図２（ａ）は排気シャッター４が閉鎖されている状態を示す。このとき、ルーバー状の排気シャッター４が閉じられて排気口３を閉塞し、外部から排気口３を介して異物が侵入するのを防止する。
図２（ｂ）は排気シャッター４が開放されている状態を示す。このとき、排気シャッター４はルーバーを右側面２ｒと直交する方向に並行するようにして排気口３を開放し、排気ファン７からの排気風を通過させる。
【００１９】
図３は、本実施形態のプロジェクター１の回路構成を示すブロック図である。
図３に示すように、プロジェクター１は、排気シャッター４、ファン制御手段５、排気ファン７、画像投写手段１０、排気シャッター制御手段１５、ＯＳＤ処理手段１６、画像信号処理手段１７、画像信号入力手段１８、排気シャッター開閉検出手段１９制御手段２０、記憶手段２１、入力操作手段２３、光源制御手段２５、電源端子３０、電源部３１、報知手段４０等で構成されており、これらは筐体２（図１）の内部に収容されている。
【００２０】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２３】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２４】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計測するタイマー２０ａを備える。
【００２５】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２６】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００２７】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信部（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信手段がこれを受信して制御情報として制御手段２０に伝達する。
【００２８】
画像信号入力手段１８は、上述したように複数の画像入力端子を備えており、各画像入力端子より、ビデオ再生装置やパーソナルコンピューター等、外部機器から、図示しないケーブルを介して画像情報が入力される。また、画像信号入力手段１８は、図示しない無線信号受信手段を備え、無線信号受信手段を介して外部機器と無線通信（電波通信、光無線通信など）することによって画像情報を入力する構成としてもよい。
【００２９】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３１】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３２】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３３】
光源制御手段２５は、制御手段２０の指示に基づいて、光源１１に対する電力の供給と停止とを制御し、光源１１の点灯、及び消灯を切り替える。
【００３４】
ファン制御手段５は、制御手段２０の指示に基づいて、筐体２内部の空気を筐体２の外部へ排気するための、排気ファン７の回転動作の開始、停止の制御を行う。
【００３５】
排気シャッター制御手段１５は、制御手段２０からの指示により、排気シャッター４の開閉を行う。排気シャッター４の開閉には、電磁方式やワイヤー巻き取り方式（いずれも図示せず）などが使われる。
【００３６】
排気シャッター開閉検出手段１９は、排気口３の近傍に、図示しないセンサーなどを有した構成で配置され、排気シャッター４が開放しているか、または閉鎖しているかの検出結果を制御手段２０に通知する。
【００３７】
報知手段４０は、ＬＥＤやブザーなどで構成され、プロジェクター１の異常発生を報知する。
【００３８】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３９】
次に、本実施形態のプロジェクター１の動作を図４、および図５のフローチャートを用いて説明する。
【００４０】
〔電源オフ操作を検出したときの動作〕
図４はプロジェクター１が動作中に投写停止操作としての電源オフ操作を検出したときの動作を示すフローチャートである。図４に示すように、プロジェクター１が動作中に入力操作手段２３より電源オフ操作を検出すると（ステップＳ１０１）、制御手段２０は、ファン制御手段５により、排気ファン７の動作を停止し（ステップＳ１０２）、ステップＳ１０３に遷移する。
【００４１】
ステップＳ１０３において制御手段２０は、排気シャッター制御手段１５により、排気シャッター４を閉鎖し、ステップＳ１０４に遷移する。
【００４２】
ステップＳ１０４において制御手段２０は、排気シャッター開閉検出手段１９により、排気シャッターが開放、及び閉鎖のいずれの状態であるかを検出することにより、排気シャッター４の閉鎖に成功したか否かを調べる。排気シャッター４の閉鎖に成功した場合（ステップＳ１０４：Ｙ）、ステップＳ１０５に遷移する。排気シャッター４の閉鎖に失敗した場合（ステップＳ１０４：Ｎ）、ステップＳ１１１に遷移する。なお、ステップＳ１０３、及びステップＳ１０４が排気シャッター開閉確認ステップに相当する。なお、排気シャッター４の閉鎖に失敗した場合、数回リトライし、それでも排気シャッター４が閉鎖しない場合に失敗とみなしてもよい。
【００４３】
ステップＳ１０５において制御手段２０は、排気シャッター制御手段１５により排気シャッター４を開放し、ステップＳ１０６に遷移する。
【００４４】
ステップＳ１０６において制御手段２０は、ファン制御手段５により、排気ファン７による排気動作を開始し、ステップＳ１０７に遷移する。
【００４５】
ステップＳ１０７において制御手段２０は、タイマー２０ａによる計時を開始し、ステップＳ１０８に遷移する。
【００４６】
ステップＳ１０８において制御手段２０は、タイマー２０ａが時間Ｔ１（例：２０秒）を経過したか否かを調べる。タイマー２０ａが時間Ｔ１を経過した場合（ステップＳ１０８：Ｙ）、ステップＳ１０９に遷移する。タイマー２０ａが時間Ｔ１を経過していない場合（ステップＳ１０８：Ｎ）、ステップＳ１０８を繰り返す。
【００４７】
ステップＳ１０９において制御手段２０は、ファン制御手段５により、排気ファン７の動作を停止し、ステップＳ１１０に遷移する。
【００４８】
ステップＳ１１０において制御手段２０は、排気シャッター制御手段１５により、排気シャッター４を閉鎖し、ステップＳ１１６に遷移する。
【００４９】
ステップＳ１１１において制御手段２０は、ファン制御手段５により、排気ファン７による排気動作を開始し、ステップＳ１１２に遷移する。
【００５０】
ステップＳ１１２において制御手段２０は、排気シャッター４の閉鎖に失敗したことを示す警告メッセージＭ１を画像投写手段１０により投写し、ステップＳ１１３に遷移する。このときの警告メッセージＭ１を図６に示す。
【００５１】
ステップＳ１１３において制御手段２０は、タイマー２０ａによる計時を開始し、ステップＳ１１４に遷移する。
【００５２】
ステップＳ１１４において制御手段２０は、タイマー２０ａが時間Ｔ２（例：１０秒）を経過したか否かを調べる。タイマー２０ａが時間Ｔ２を経過した場合（ステップＳ１１４：Ｙ）、ステップＳ１１５に遷移する。タイマー２０ａが時間Ｔ２を経過していない場合（ステップＳ１１４：Ｎ）、ステップＳ１１４を繰り返す。
【００５３】
ステップＳ１１５において制御手段２０は、ファン制御手段５により、排気ファン７の動作を停止し、ステップＳ１１６に遷移する。
【００５４】
ステップＳ１１６において制御手段２０は、光源制御手段２５により光源１１を消灯し、ステップＳ１２０に遷移する。ステップＳ１０４からステップＳ１１６が制御ステップに相当する。
なお、ステップＳ１０４において、排気シャッター４の閉鎖に成功した場合、ステップＳ１０５からステップＳ１１０までを省略し、直ちにステップＳ１１６に遷移するフローとしてもよい。
【００５５】
ステップＳ１２０において制御手段２０はプロジェクター１の電源をオフしてスタンバイ状態に移行し、本動作フローを終了する。
【００５６】
〔電源オン操作を検出したときの動作〕
図５はプロジェクター１がスタンバイ（電源オフ）中に電源オン操作を検出したときの動作を示すフローチャートである。図５に示すように、プロジェクター１がスタンバイ（電源オフ）中に入力操作手段２３より電源オン操作を検出すると（ステップＳ２０１）、ステップＳ２０２に遷移する。
【００５７】
ステップＳ２０２において制御手段２０は、排気シャッター開閉検出手段１９により、排気シャッター４が閉鎖しているか否かを調べる。排気シャッター４が閉鎖している場合（ステップＳ２０２：Ｙ）、ステップＳ２０６に遷移する。排気シャッター４が閉鎖していない場合（ステップＳ２０２：Ｎ）、ステップＳ２０３に遷移する。
【００５８】
ステップＳ２０３において制御手段２０は、排気シャッター制御手段１５により、排気シャッター４を閉鎖する。次にステップＳ２０４に遷移する。
【００５９】
ステップＳ２０４において制御手段２０は、排気シャッター開閉検出手段１９により、排気シャッター４の閉鎖に成功したか否かを調べる。排気シャッター４の閉鎖に成功した場合（ステップＳ２０４：Ｙ）、ステップＳ２０５に遷移する。排気シャッター４の閉鎖に失敗した場合（ステップＳ２０４：Ｎ）、ステップＳ２０８に遷移する。なお、排気シャッター４の閉鎖に失敗した場合、数回リトライし、それでも排気シャッター４が閉鎖しない場合に失敗とみなしてもよい。
【００６０】
ステップＳ２０５において制御手段２０は、排気シャッター制御手段１５により、排気シャッター４を開放する。次にステップＳ２１０に遷移する。
【００６１】
ステップＳ２０６において制御手段２０は、排気シャッター制御手段１５により、排気シャッター４を開放する。次にステップＳ２０７に遷移する。
【００６２】
ステップＳ２０７において制御手段２０は、排気シャッター開閉検出手段１９により、排気シャッター４の開放に成功したか否かを調べる。排気シャッター４の開放に成功した場合（ステップＳ２０７：Ｙ）、ステップＳ２１０に遷移する。排気シャッター４の開放に失敗した場合（ステップＳ２０７：Ｎ）、ステップＳ２０８に遷移する。なお、排気シャッター４の開放に失敗した場合、数回リトライし、それでも排気シャッター４が開放しない場合に失敗とみなしてもよい。
【００６３】
ステップＳ２０８において制御手段２０は、報知手段４０により、異常発生を報知し、ステップＳ２０９に遷移する。
【００６４】
ステップＳ２０９において制御手段２０は、プロジェクター１の電源をオフし、スタンバイ状態に移行させる。
【００６５】
ステップＳ２１０において制御手段２０は、光源制御手段２５により、光源１１を点灯させ、ステップＳ２１１に遷移する。
【００６６】
ステップＳ２１１において制御手段２０は、ファン制御手段５により、排気ファン７の動作を開始し、ステップＳ２２０に遷移する。
【００６７】
ステップＳ２２０において制御手段２０は、画像信号入力手段１８からの画像信号を画像投写手段１０により、投写開始する。
【００６８】
以上説明したように、本実施形態のプロジェクター１によれば、電源オフ時、光源１１を消灯する前に排気シャッター４を閉鎖し、排気シャッター４が閉鎖できることが確認できたときに、再度排気シャッター４を開放し、光源１１を消灯して電源オフ処理を行う。または、排気シャッター４を閉鎖できないことが確認できたときは警告メッセージＭ１を画像投写手段１０により投写する。これにより、ユーザーが電源オフ操作しても、排気シャッター４が正常に閉鎖できない場合は光源１１が点灯したまま、警告メッセージＭ１が投写されるので、排気シャッター４が閉鎖できない異常状態をユーザーが見落とすことを防止することが可能となる。
【００６９】
また、電源オン操作を検出時、排気シャッター４の開閉動作が確認できなかった場合に、報知手段４０により異常状態を報知する。これにより、プロジェクター１を前回使用終了後、何らかの要因で排気シャッター４が閉じずに開放されたままになっていた状態でも、電源オン操作時に排気シャッター４の閉鎖及び開放ができるかどうかを確認するので、排気シャッター４の閉鎖が正常にできない状態でプロジェクター１が起動するのを防止し、ユーザーに異常状態の排除を促すことが可能となる。
【００７０】
また、上記実施形態は、以下のように変更してもよい。
（変形例１）
上述した実施形態では、プロジェクター１の電源オフ時、及び電源オン時に、排気シャッター４が閉鎖及び開放できるかを確認し、開放または閉鎖ができないときに異常状態を報知するようにしているが、ユーザーによる投写の一時停止、即ち画像ミュート状態に入るときに、排気シャッター４が正常に閉鎖できるかを確認し、閉鎖できない場合に報知するようにしてもよい。
これにより、通常使用状態でも画像ミュート操作により、画像の投写に影響を与えずに、排気シャッター４が閉鎖できないことを検出し、ユーザーに報知することが可能となる。
【符号の説明】
【００７１】
１…プロジェクター、２…筐体、３…排気口、４…排気シャッター、５…ファン制御手段、７…排気ファン、１０…画像投写手段、１１…光源、１２Ｒ，１２Ｇ，１２Ｂ…液晶ライトバルブ、１３…投写レンズ、１４…液晶駆動手段、１５…排気シャッター制御手段、１６…ＯＳＤ処理手段、１７…画像信号処理手段、１８…画像信号入力手段、１９…排気シャッター開閉検出手段、２０…制御手段、２１…記憶手段、２３…入力操作手段、２５…光源制御手段、３０…電源端子、３１…電源部、４０…報知手段。
【図１】
2013109054.tif 000003
【図２】
2013109054.tif 000004
【図３】
2013109054.tif 000005
【図４】
2013109054.tif 000006
【図５】
2013109054.tif 000007
【図６】
2013109054.tif 000008